(57)【要約】      （修正有）【課題】無線端末の通信エリア外への移動や、電池残量の低下等による電源ＯＦＦによって、前記無線端末と主装置との通信が途絶えてしまっても、前記無線端末が主装置を介さずに予め登録されている所定の他無線端末に代行内容を指定して代行処理を依頼することのできる無線端末を提供する。【解決手段】無線ネットワーク２に収容されている無線端末１が無線ネットワーク２に収容されている他無線端末から代行処理を依頼された場合に、代行処理部１０７は代行起動条件登録部１０３を参照し、当該他無線端末の着信に係わる処理を前記無線端末１が代行処理する。また、無線ネットワークに収容されている無線端末１がエリア判定部１０２により通信エリア内にいないと判定した場合に、代行依頼端末検出部１０６は代行端末登録部１０４を参照し、無線端末１の着信に係わる処理を代行する代行処理の実行が可能な他無線端末を検出し、代行処理の実行を依頼する。【選択図】図１
2013150294.tif 000002
【特許請求の範囲】
【請求項１】
同一の無線ネットワークに帰属する複数の無線端末間で、着信に応答して所定の処理を実行する着信処理を当該着信の着信先無線端末以外が代行して処理する代行処理機能を有する無線端末システムであって、前記無線端末の各々は、前記代行処理の依頼元または依頼先の無線端末に係わる端末情報を登録しておく端末情報登録手段と、を具備し、前記代行処理を依頼する依頼元無線端末は、前記端末情報登録手段に登録されているいずれかの無線端末へ当該依頼元無線端末への着信に係る前記代行処理依頼を要求し、前記依頼元無線端末から前記代行処理依頼を受付けた依頼先無線端末は、前記依頼元無線端末が前記無線ネットワーク内で現在通信可能な状態にあることを示す通信可能状態信号を監視し、前記通信可能状態信号を継続的に受信している間は前記受付けた代行処理を起動せず、前記通信可能状態信号が途絶えたことを検知した場合に、前記代行処理の実行を起動することを特徴とする代行処理機能を有する無線端末システム。
【請求項２】
請求項１に記載の無線端末であって、前記端末情報登録手段に依頼先として登録される無線端末は、依頼先ごとに優先順位を設けて登録され、優先順位の高い依頼先から順に代行処理を依頼することを特徴とする代行処理機能を有する無線端末システム。
【請求項３】
請求項１に記載の無線端末であって、
前記代行処理を依頼する依頼元無線端末は、代行依頼端末検索手段により同一ネットワーク内にある他の無線端末の検索を行い、前記依頼元無線端末は代行受信が可能であるか否かに係る確認を実施して可能である事が確認された無線端末のみを前記端末情報登録手段への登録を行い、前記端末情報登録手段に登録されているいずれかの無線端末へ当該依頼元無線端末への着信に係る前記代行処理に係る予約を要求し、
前記依頼元無線端末から前記代行処理依頼に係る予約要求を受付けた依頼先無線端末は、前記依頼元無線端末が前記無線ネットワーク内で現在通信可能な状態にあることを示す通信可能状態信号を監視し、前記通信可能状態信号を継続的に受信している間は前記受付けた代行処理を起動せず、前記通信可能状態信号が途絶えたことを検知した場合に、前記代行処理の実行を起動することを特徴とする代行処理機能を有する無線端末システム。
【請求項４】
請求項３に記載の無線端末であって、
前記端末情報登録手段に依頼先の候補として登録される無線端末は、前記代行依頼端末検索手段により検索された現在接続中の無線端末であり、接続時間が長い無線端末から優先順位を設けて登録され、優先順位の高い依頼先から順に代行処理を依頼することを特徴とする代行処理機能を有する無線端末システム。
【請求項５】
請求項３に記載の無線端末であって、
前記端末情報登録手段に依頼先の候補として登録される無線端末は、前記代行依頼端末検索手段により検索された無線端末であって、該無線端末が、無線ネットワーク上から外れた場合、自動的に代替の依頼先無線端末を検索することを特徴とする代行処理機能を有する無線端末システム。
【請求項６】
無線ネットワークに帰属し、接続された無線端末宛に到来した着信に応答して所定の処理を実行する代行着信処理を行う代行着信処理機能を有する無線アクセスポイントであって、
前記代行着信処理の依頼元無線端末に係わる端末情報を登録しておく端末情報登録手段と、前記代行着信処理の予約要求を受付け実行する予約処理手段と、を具備し、
前記依頼元無線端末から前記代行着信処理の予約要求を受付け、前記依頼元無線端末が前記無線ネットワーク内で現在通信可能な状態にあることを示す通信可能状態信号を監視し、前記通信可能状態信号を継続的に受信している間は前記受付けた代行着信処理を起動せず、前記通信可能状態信号が途絶えたことを検知した場合に、当該依頼元無線端末が前記無線ネットワークの無線通信可能エリアの圏外に移動したまたは当該依頼元無線端末の電源がオフになったと判定し、前記代行着信処理の実行を起動することを特徴とする代行処理機能を有する無線アクセスポイント。
【請求項７】
請求項６に記載の無線アクセスポイントであって、
前記端末情報登録手段に依頼元として登録される無線端末は、依頼元ごとに優先順位を設けて登録され、優先順位の高い依頼元から順に代行処理を実施することを特徴とする代行処理機能を有する無線アクセスポイント。
【発明の詳細な説明】
【技術分野】
【０００１】
本発明は、通信エリア内外に存在する無線端末間で相手側の着信に係る処理を代行して処理する代行処理機能を有する無線端末システムに関する。
【背景技術】
【０００２】
従来、無線ネットワークに接続される無線端末において、特定の無線端末に着信があった場合、当該無線端末が通信エリア外にある場合や、当該無線端末の使用者が留守応答設定しないで外出した場合、当該の着信に応答できない場合がある。この改善策として、電話システムの主装置において着信先の無線端末の不応答を検出したときに、あらかじめ設定された転送先に着信を転送し、不在応答端末の番号情報と通信内容をボイスメールとしてホストに転送する技術がある（例えば、特許文献１）。
【先行技術文献】
【特許文献】
【０００３】
【特許文献１】特開平５−２７６１０７号
【発明の開示】
【発明が解決しようとする課題】
【０００４】
しかしながら、従来の技術によっても、無線端末が通信エリア外へ移動した場合や、電池残量の低下等により電源オフになった場合、前記無線端末と電話システムの主装置との通信が途絶えてしまうため、前記主装置は他端末からの着信があっても前記無線端末に通知することが出来ない。そのため発信元端末に対しては相手応答不可通知を返す、あるいは留守番電話機能でメッセージを残す、などの一時的な不在応答しか出来ない。また、前記不在応答は主装置によって行われるために、主装置が前記不在応答の機能を持たない場合は、発信元端末に対して相手応答不可の情報を通知することしか出来ない。  
【０００５】
そこで、本発明が解決しようとする課題は、無線端末の通信エリア外への移動や、電池残量の低下等による電源オフによって、前記無線端末と主装置との通信が途絶えてしまっても、前記無線端末が主装置を介さずに予め登録されている所定の他無線端末に代行内容を指定して代行処理を依頼することのできる無線端末、代行処理を受け付けることのできる無線端末を提供することにある。
【課題を解決するための手段】
【０００６】
本発明は、同一の無線ネットワークに帰属する複数の無線端末間で、着信に応答して所定の処理を実行する着信処理を当該着信の着信先無線端末以外が代行して処理する代行処理機能を有する無線端末システムであって、前記無線端末の各々は、前記代行処理の依頼元または依頼先の無線端末に係わる端末情報を登録しておく端末情報登録手段と、を具備し、前記代行処理を依頼する依頼元無線端末は、前記端末情報登録手段に登録されているいずれかの無線端末へ当該依頼元無線端末への着信に係る前記代行処理依頼を要求し、前記依頼元無線端末から前記代行処理依頼を受付けた依頼先無線端末は、前記依頼元無線端末が前記無線ネットワーク内で現在通信可能な状態にあることを示す通信可能状態信号を監視し、前記通信可能状態信号を継続的に受信している間は前記受付けた代行処理を起動せず、前記通信可能状態信号が途絶えたことを検知した場合に、前記代行処理の実行を起動することを特徴とする。
【発明の効果】
【０００７】
本発明によれば、電話システムの主装置側での代行処理機能の有無に関係なく、代行処理を実現できる無線端末を提供できる。
【図面の簡単な説明】
【０００８】
【図１】本発明の代行処理を行う無線端末の機能ブロック図。
【図２】本発明の実施例１における代行依頼内容登録部に登録される内容の一例。
【図３】本発明の実施例１における端末情報登録部に登録される内容の一例。
【図４】本発明の実施例１における端末情報登録部に登録される内容の一例。
【図５】本発明の実施例１における代行依頼を受け付けた場合に画面表示される内容の一例。
【図６】本発明の実施例１における代行処理を行う機能に係わる動作フローチャート図。
【図７】本発明の実施例１における代行処理を行う機能に係わる動作フローチャート図。
【図８】本発明の実施例２における端末情報登録部に登録される内容の一例
【図９】本発明の実施例２における代行処理を行う無線端末の機能ブロック図
【図１０】本発明の実施例２における代行処理を行う機能に係わる動作フローチャート図
【図１１】本発明の実施例３における代行処理を行う無線アクセスポイントの機能ブロック図。
【図１２】本発明の実施例３における代行依頼内容登録に登録される内容の一例。
【図１３】本発明の実施例３における端末情報登録部に登録される内容の一例。
【図１４】本発明の実施例３における代行処理を行う機能に係わる動作フローチャート図。
【発明を実施するための形態】
【０００９】
以下、図面を用いて本発明の実施例を説明する。
【実施例１】
【００１０】
図１は、本発明に関わる無線端末１（以下、本装置と略すこともある）の機能ブロック図である。本装置における内部ブロック構成図は、無線通信制御部１０１、エリア判定部１０２、代行起動条件登録部１０３、代行依頼内容登録部１０４、端末情報登録部１０５、代行依頼端末検出部１０６、代行処理部１０７、呼制御部１０８、コンテンツ情報記憶部１０９、操作部１１０、表示部１１１から構成され、無線ネットワーク２に接続される。尚、代行処理とは代行元無線端末の着信に係る処理を、代行依頼内容登録部１０４に予め登録された内容に基づいて代行処理を依頼された無線端末が実行するものである。  
【００１１】
次に本発明に関わる無線端末１の各ブロックの機能について説明する。本装置は無線通信制御部１０１にて無線ネットワーク２に接続、通信を行う。  
【００１２】
エリア判定部１０２は、本装置が無線ネットワーク２に設置された端末Ｂ３に代行処理の依頼（以降、単に「代行依頼」という）を予約する場合、本装置が無線ネットワーク２内にあるかどうかの判定を行う。本装置がエリア内にある場合には代行依頼受信可能か、代行依頼要求可能かを判定する。次に予約した代行処理を実行する場合、本装置は無線ネットワーク２内の図示されていない無線アクセスポイントが発信する電波の電界強度が通信可能な強度であるかを検知し、検知できる場合は、代行依頼受信可能、代行依頼要求可能であると判定し、検知できない場合には、代行依頼受付および代行依頼要求ができないと判定し代行処理部１０７に通知する。  
【００１３】
また、無線ネットワーク２に設置された端末Ｂ３が代行依頼を予約した端末である場合において、本装置が代行依頼を受け付けている場合にはエリア内にあるか否かを定期的に判定するために、端末Ｂ３に対して特定コマンドの送信を行い、端末Ｂ３からの通信可能状態信号の応答がある場合は端末Ｂ３は通信エリア外ではないと判定し、端末Ｂ３からの通信可能状態信号の応答がない場合は端末Ｂ３は通信エリア外である又は電池残量の低下等による電源オフと判定し、判定結果を代行処理部１０７に通知する。  
【００１４】
代行起動条件登録部１０３は、代行依頼を起動する条件を事前に登録し、代行依頼の依頼元端末が通信エリア内から外れた、または電池残量の低下により通信可能状態信号が途絶えた等、事前登録した起動条件を満たす場合に代行依頼の起動を代行処理部１０７に通知する。  
【００１５】
代行依頼内容登録部１０４は、本装置の利用者により、代行を依頼する他の無線端末の内線番号、ＩＰアドレス、ＭＡＣアドレス、等の被代行無線端末を識別できる情報、着信を転送する転送先電話番号、応答不可による留守番電話機能などの依頼する代行処理の内容を事前に登録しておき、代行依頼の起動を指示された代行処理部１０７からの要求があると、代行依頼内容登録部１０４はその登録内容を代行処理部１０７に通知する。  
【００１６】
例えば、図２は代行依頼内容登録部１０４に登録される代行処理内容の一例であって、図２の行２１１は、代行依頼条件として依頼元へ着信をかけてきた相手端末の条件であり、行２１２は代行依頼を受けた端末が代行処理時に行う処理内容である。  
【００１７】
列２０１の場合は、発番号０３−１２３４５６７８から着信を受けた場合に０９０−１２３４５６７８にその着信を転送することを代行処理として実行することを示し、列２０２の場合は、他の内線端末からの着信を受けた場合の代行処理として固定ガイダンスを送出することを示す。  
【００１８】
端末情報登録部１０５には、事前に代行依頼先の無線端末と代行依頼受理可能端末を登録しておく。図３は、端末情報登録部１０５に登録される代行依頼先端末登録時の内容の一例であって、図３の列３０１、列３０２、列３０３の行３１２は代行依頼先として登録されている他の無線端末である。  
【００１９】
行３１１はそれぞれの無線端末の優先度を意味し、代行依頼を行う場合に優先順位の順番に依頼先として他の無線端末を選択し、代行依頼を行う。図４は、端末情報登録部１０５に登録される代行依頼受理可能端末登録時の内容の一例であって、図４の行４１１の列４０１，列４０２，列４０３は代行受理可能端末そして登録されている他の無線端末であり、行４１２はそれぞれの代行受理可能端末の状況を示している。  
【００２０】
本装置の利用者は、例えば、図３の列３０１から列３０３の優先度１から優先度３までの代行依頼先端末登録として、それぞれ内線ａ、内線ｂ、内線ｃを登録している。優先度は、本装置が代行依頼を行うにあたり、優先度の順に登録された他の無線端末を選択し、選択した無線端末に代行処理依頼の予約を行い、行３１３にて依頼状況を保存しておく。列３０１の内線ａについては、代行依頼の予約を実施済みであり依頼した相手端末が了解していることを示している。図４は、行４１１にて登録済みの代行依頼受理可能端末を示し、列４０２の行４１２においては、内線ｄ端末からの代行依頼を受理したことを示す。  
【００２１】
代行依頼端末検出部１０６は、他の無線端末から代行依頼の予約があり、代行依頼を受理した場合、端末情報登録部１０５に登録されている情報に基ついて、無線通信制御部１０１に指示して、前記依頼元無線端末を定期的に監視し、該依頼元無線端末との通信状況を代行処理部１０７に通知する。  
【００２２】
呼制御部１０８はエリア判定部１０２からのエリア判定情報や代行依頼端末検出部１０６からの依頼元無線端末との通信状況を代行処理部１０７を経由して受理し、呼制御部１０８はその内容を表示部１１１に表示する。また他の無線端末から代行依頼の予約を受信した場合、本装置が代行処理を行うことができるか、コンテンツ情報記憶部１０９、呼制御部１０８の処理能力の有無により、本装置が代行処理を受け付け可能か否かを代行処理１０７で判定し、予約を許可するか否かを相手端末に通知する。  
【００２３】
ここで、本装置のユーザによる操作にて、例えば、図５に示す画面表示を行い、相手端末からの代行依頼に対して受け付けるか否かのボタン表示を表示部１１１に表示し、「受理する」または、「受理しない」との入力を促し、操作部１１０からの入力情報を代行処理部１０７に通知する手段をとってもよい。  
【００２４】
図６および図７は、本発明に関わる代行依頼送信および代行処理のフローチャートである。図６および図７を元に本装置の動作を説明する。本装置は、電源が投入された状態でスタートし（Ｓ６００）、エリア判定部１０２により本装置が通信エリア内であるか否か（Ｓ６０１）、代行依頼の受信があったか否か（Ｓ６０２）、代行依頼の要求をするか否か（Ｓ６０３）を繰り返す。  
【００２５】
通信エリア内でない場合（Ｓ６０１，ＮＯ）、本装置は無線ネットワーク２に接続することができず、通信できない状態であるため、本装置で実現する機能としての発信、着信、通話、コンテンツ表示などの動作をすることができないので、通話エリア内であるか否かの判定を繰り返す。  
【００２６】
代行依頼を行う場合は、本装置は無線ネットワーク２内の図示されない無線アクセスポイントとの発する電波の電界強度が通信可能な強度であるかどうかを検知し、検知できる場合には、通信エリア内であると判定し（Ｓ６０１，ＹＥＳ）、代行依頼受付可能、代行依頼要求可能である。代行依頼受信をしていない場合（Ｓ６０２，ＮＯ）において、本装置は自端末のみの動作として前記発信、着信、通話、コンテンツ表示などの機能を実行するとともに、他の無線端末に対して代行依頼要求を行うか否かの判定を継続して行う（Ｓ６０３）。  
【００２７】
本装置が、無線ネットワーク２内の図示されないアクセスポイントとの通信ができている場合は通信エリア内、通信ができない場合は通信エリア外であると判定し、通信エリア内であると判定した場合（Ｓ６０１，ＹＥＳ）、端末情報登録部１０５に登録された代行依頼受理可能端末（図４）を参照し、他端末より代行依頼の予約を受信しているか否かを判定し（Ｓ６０２）、受信していれば（Ｓ６０２，ＹＥＳ）、代行処理可能か否かの判定（Ｓ７０１）を行い、受信していなければ（Ｓ６０２，ＮＯ）、代行依頼を要求するか否かの判定（Ｓ６０３）を行う。ここで代行処理依頼を受け付けるかの判定結果は、図４に示す代行依頼受理状況（行４１２）に反映される。  
【００２８】
次に利用者が本装置から他の無線端末に代行依頼の要求を行う場合であるが、利用者が操作部１１０を用いて、表示部１１１のメニュー画面の中から代行依頼画面を選択したかどうかで判定される。すなわち代行依頼画面を選択した場合は、代行依頼要求がありと判定（Ｓ６０３、ＹＥＳ）し、表示部１１１に依頼画面が表示される（Ｓ６０４）。  
【００２９】
依頼画面の構成は詳細図示しないが、利用者は、依頼画面のガイドにより事前に登録済の代行依頼先無線端末の番号や名称を選択することができ、その選択結果を代行処理部１０７が確認し、代行依頼先端末へ代行依頼要求を送信する（Ｓ６０５）。  
【００３０】
代行処理部１０７は、該依頼先端末からの応答がないままタイムアウト（Ｔ１）した場合（Ｓ６０６、ＮＯ）、端末情報登録部１０５を参照して、選択された無線端末の次の優先順位の依頼先端末の検索を行い（Ｓ６０７）、次の依頼先端末がある場合（Ｓ６０８、ＹＥＳ）、該依頼先端末に対して代行依頼要求を送信する（Ｓ６０５）。  
【００３１】
依頼先端末については、前記端末情報登録部１０５に登録された依頼先端末に対して優先度の順にすべての検索を行う。ただし、最初に選択された無線端末が最上位の優先順位の無線端末でない場合は、最下位の優先順位の無線端末の次に最上位の無線端末を検索する。図３は、端末情報登録部１０５における依頼端末の管理テーブルであり、内線aに対して代行依頼を行い、該代行依頼が受理されたことを示す。  
【００３２】
最初に利用者が選択した依頼先端末の他に、別の依頼先端末が登録されていない場合、または登録された複数の依頼先端末の検索がすべて完了し、依頼先端末が見つからなかった場合（Ｓ６０８、ＮＯ）は、依頼先端末が発見できなかった旨を音による通知、または表示部１１１に表示を行い終了する（Ｓ６０９）。  
【００３３】
依頼先端末からの受理応答があった場合（Ｓ６０６、ＹＥＳ）、依頼先端末への代行依頼が完了した旨を通知および表示を表示部１１１にて行い（Ｓ６１０）、終了する。  
【００３４】
また、他端末から代行依頼を受信した場合には（Ｓ６０２、ＹＥＳ）、本装置が他端末の代行処理が可能か否かを判定し（Ｓ７０１）、本装置の処理能力に代行処理を行う余裕がある場合（Ｓ７０１、ＹＥＳ）、依頼元の端末が本装置の端末情報登録部１０５に登録されているか否かの判定を行う（Ｓ７０２）。  
【００３５】
また、本装置の処理能力に代行処理を行う余裕がない場合（Ｓ７０１，ＮＯ）、依頼元の端末に対して、代行依頼受理不可通知を行い（Ｓ７０７）通信エリア検知状態に移行する（Ｓ６０１）。  
【００３６】
次に、依頼元の端末が本装置に登録されている相手ではない場合（Ｓ７０２、ＮＯ）、依頼元の端末に代行依頼受理不可通知を行い（Ｓ７０７）、通信エリア検知状態に移行する（Ｓ６０１）。  
【００３７】
依頼元の端末が本装置に登録されている相手の場合（Ｓ７０２，ＹＥＳ）、他端末から代行依頼があった旨を音による通知、または表示を表示部１１１に行い（Ｓ７０３）、依頼元の端末に対して代行依頼を受理した旨を通知し、代行処理待機状態に移行する（Ｓ７０５）。  
【００３８】
代行処理待機状態においては、依頼元の端末に対して、一定時間（タイマＴ３）の間隔で依頼元端末へ生存問い合わせの特定コマンドを送り、正常に応答が確認できた場合（Ｓ７０５、ＹＥＳ）、Ｔ３よりさらに長いタイマーＴ２を経過したかどうかを判定（Ｓ７０４）し、タイマーＴ２を経過した場合（Ｓ７０４、ＹＥＳ）、代行依頼としては、あまりに長時間経過し、妥当な依頼ではないと判断し、依頼元の端末に対して、代行依頼受理不可通知を行い（Ｓ７０７）通信エリア検知状態に移行する（
Ｓ６０１）。  
【００３９】
また、特定コマンドに対して、依頼元端末から応答がない場合（Ｓ７０５、ＮＯ）依頼元端末が通信エリア外へ移動したか、電池残量の不足で電源オフ状態になり、応答が出来なくなったと判定し、依頼元の端末から依頼された代行依頼内容に基づいて代行処理を実施する（Ｓ７０６）。  
【００４０】
ここで、代行依頼内容の機能として、依頼元端末にかかってきた着信に対して代理着信応答する機能、依頼元端末にかかってきた着信に対して、着信番号情報から特定の電話番号に転送する機能、依頼元端末にかかってきた着信に対して席を外している旨等固定ガイダンスの送出、留守応答する機能、依頼元端末宛に着信があったことを依頼元端末利用者の携帯電話や、ＰＣにメールを自動送信する機能などを搭載することが可能である。  
【００４１】
また、以上の説明において、特定コマンドへの応答無しで、代理処理を実行の起動条件とするとして説明したが、代理処理を起動する条件として、起動する時間指定、曜日指定、日時指定、着信番号情報指定などを条件として、条件を満たしたときに所定の機能の代行処理を実施することも可能である。  
【００４２】
また、上記した以外に表示部１１１によらずに、各種ガイダンスを音声でアナウンスすることにより、必要な操作を利用者に促すことも可能であり、これらを組み合わせることで上記した以外に多様な実現方法があることを付言しておく。
【実施例２】
【００４３】
また、代行依頼端末を検索するにあたり、予め代行依頼を行う端末を登録する方法としては、ユーザが手入力で登録する、あるいは保守者が手入力で登録する方法があるが、本実施例は手入力による煩雑さを避けるために、無線端末が自動的に周辺の無線端末を検索して、登録する新たな方法を提案するものである。
【００４４】
図１は、本発明に関わる無線システムにおける無線端末１（以下、本装置と略すこともある）の機能ブロック図である。無線端末１は、無線通信制御部１０１、エリア判定部１０２、代行起動条件登録部１０３、代行依頼内容登録部１０４、端末情報登録部１０５、代行依頼端末検索部１０６、代行処理部１０７、呼制御部１０８、コンテンツ情報記憶部１０９、操作部１１０、表示部１１１から構成され、無線ネットワーク２に接続される。
【００４５】
次に、本発明に関わる無線システムにおいて、無線端末１の各ブロックの機能について説明する。
【００４６】
本装置は無線通信制御部１０１、エリア判定部１０２、代行起動条件登録部１０３、代行依頼内容登録部１０４の動作説明については、実施例１にて記載と同等の機能を有するものである。
【００４７】
端末情報登録部１０５は、代行依頼端末検出部１０６により検索された優先度の高い代行依頼先の無線端末、サブ代行依頼先の無線端末と代行依頼受理可能端末を登録しておく。代行依頼端末検出部１０６は、本装置の起動時、本装置の利用者による操作により代行依頼先の無線端末を指定した設定を行なった時、及び電源投入中の一定時間経過時に代行依頼先の無線端末を自動検索し、その都度、代行依頼先の無線端末およびその優先順位を再設定し、端末情報登録部１０５の内容更新をする。
【００４８】
ネットワーク内のすべての無線端末を一定間隔で定期的に検索し代行依頼先端末の自動更新を行う本発明の場合、例えば、図８の列８０１から列８０５に示す内線a〜内線eが代行依頼先端末として登録される。優先１から優先５とは、図８の行８１５に示す依頼先の端末へ代行依頼を行う際の優先度であり、代行依頼先端末接続時間行８１３や、代行依頼先接続応答時間行８１４の結果より決定する。
【００４９】
代行依頼端末の検索時においては、ネットワーク内のすべての端末に対し、代行依頼受理の可否を問い合わせ、問い合わせに対して受諾した端末の内、代行依頼先端末接続時間や代行依頼先接続応答時間より判断して、適切と思われる端末のみが登録される。
【００５０】
また、代行依頼受理の可否問い合わせに対して受諾した端末は、代行依頼元の無線端末が代行依頼受理の可否問い合わせを行ない、受諾の応答を受け、代行依頼先端末として登録した端末の情報を共有する。このとき、受諾の応答を受け付けた代行依頼先端末に対して、代行依頼元の端末情報を送るとともに、代行依頼元端末に登録された他の代行依頼先端末の情報を共有する。
【００５１】
また、代行処理を行なう際には代行依頼元の状態監視を行なうと共に、最新の代行依頼先登録端末情報を取得する。これにより、代行処理を行なう場合、代行依頼先候補として登録された端末は、代行依頼元端末が電源ＯＦＦまたは、通信エリア外に移動したと判断した場合、代行処理を行なう。ここで、代行処理を行なう端末は最初に代行依頼元端末が電源ＯＦＦまたは、通信エリア外に移動したと判断した代行依頼先端末であり、代行処理を受付た代行依頼先端末は、他の代行依頼先端末に代行応答処理を受け付けたことを通知することで、他の代行依頼先端末は代行処理応答待ち状態を一時解除する。尚、本実施例では登録できる代行依頼先端末の台数を５台としているが、本発明はそれに限定されない。
【００５２】
図９は自動的にネットワーク内の無線端末を検索して代行依頼を行う場合における代行依頼端末検索部１０６の検索範囲を示す図である。ネットワーク９０１には、端末Ａ９０２、端末Ｂ９０３、端末Ｃ９０４、端末Ｄ９０５、端末Ｅ９０６、端末Ｆ９０７、端末Ｇ９０８が接続されていることを示す。
【００５３】
ここで、代行依頼元端末を端末Ａ９０２として説明する。端末Ａ９０２は、代行依頼端末検索部１０６により、ネットワーク内のすべての無線端末に対して、代行依頼受理の可否を問い合わせ、受諾した依頼先候補端末として端末Ｂ９０３、端末Ｃ９０４、端末Ｄ９０５、端末Ｅ９０６、端末Ｆ９０７、端末Ｇ９０８、を検出し、代行依頼端末接続時間や代行依頼接続応答時間より判断して、優先度を決定し、優先度の高いものから順に端末情報登録部１０５に登録す。
【００５４】
この実施例では、端末Ｂ９０３、端末Ｃ９０４、端末Ｄ９０５、端末Ｅ９０６、端末Ｆ９０７が代行依頼先端末として登録される。ここで、代行依頼先端末として５台登録することとしたが、実施例を説明する上での一例であり、依頼台数は、適宜設定することが出来るものとする。優先順位は、依頼端末検索時の接続時間、応答時間の長短の他、ＩＰアドレス若番順などで決定してもよい。
【００５５】
代行依頼受理の可否問い合わせに対して受諾した端末Ｂ９０３、Ｃ９０４、端末Ｄ９０５、端末Ｅ９０６、端末Ｆ９０７は、端末Ａ９０２のネットワーク内での生存を定期的に確認し、代行処理の起動要否をチェックする。端末Ａ９０２がエリア外等に移動してネットワーク内に生存しなくなり、通信できなくなると代行処理を起動する。
【００５６】
端末Ａ９０２がネットワークに復帰して、それまでに代行してもらった情報を入手するためには、端末Ｂ９０３、端末Ｃ９０４、端末Ｄ９０５、端末Ｅ９０６、端末Ｆ９０７に対してアクセスし、各端末がそれまでに蓄えた情報を入手する。
【００５７】
呼制御部１０８はエリア判定部１０２からのエリア判定情報や代行依頼端末検索部１０６からの依頼元無線端末との通信状況を代行処理部１０７を経由して受理し、呼制御部１０８はその内容を表示部１１１に表示する。また他の無線端末から代行依頼の予約を受信した場合、本装置が代行処理を行うことができるか、コンテンツ情報記憶部１０９、呼制御部１０８の処理能力の有無により、本装置が代行処理を受け付けることが可能か否かを代行処理１０７で判定し、予約を許可するか否かを相手端末に通知する。
【００５８】
本実施例に関わる代行依頼送信および代行処理は、実施例１と同一であり、そのフローチャートは、図６，７である。一方、代行依頼端末検索部１０６の機能は、実施例１とは異なるので、その異なる部分については図１０を用いて説明する。本装置は電源が投入された状態でスタートし（Ｓ１０００）、エリア判定部１０２により本装置が通信エリア内であるか否か（Ｓ１００１）、代行依頼先端末検索（Ｓ１００２）、代行依頼の受信があったか否か（Ｓ１００３）、代行依頼の要求をするか否か（Ｓ１００４）を繰り返す。
【００５９】
通信エリア内でない場合（Ｓ１００１，ＮＯ）、本装置は無線ネットワーク２に接続することができず、通信できない状態であるため、本装置で実現する機能としての発信、着信、通話、コンテンツ表示などの動作をすることができないので、通話エリア内であるか否かの判定を繰り返す。
【００６０】
代行依頼を行う場合は、本装置は無線ネットワーク２内の図示されない無線アクセスポイントが発する電波の電界強度が通信可能な強度であるかどうかを検知し、検知できる場合には、通信エリア内であると判定し（Ｓ１００１，ＹＥＳ）、代行依頼受付可能、代行依頼要求可能とする。
【００６１】
代行依頼受信をしていない場合（Ｓ１００３，ＮＯ）において、本装置は自端末のみの動作として前記発信、着信、通話、コンテンツ表示などの機能を実行するとともに、他の無線端末に対して代行依頼要求を行うか否かの判定を継続して行う（Ｓ１００４）。
【００６２】
また、一定時間間隔で代行依頼先端末検索（Ｓ１００２）を行い、代行依頼先端末情報を随時更新し、端末情報登録部１０５に検索結果を保存している。
【００６３】
本装置から他の無線端末に代行依頼の要求を行う場合、自端末に対して登録できる依頼先無線端末が少ない場合、自動的にネットワーク内の代行依頼先無線端末を検索する。ここで、登録できる依頼先無線端末の台数より依頼先候補無線端末の確定端末が少ない場合（Ｓ１０１３，ＹＥＳ）、代行依頼先候補無線端末の検索をさらに続けて行なう。
【００６４】
このとき、代行依頼受理の可否問い合わせを送信し、問い合わせに対し受諾した端末は、自動的に代行依頼先候補無線端末として登録され、番号や、名称などといった情報を取得し、および接続状況の結果を格納する。また、利用者による操作によって、依頼画面のガイドを表示し代行依頼先候補無線端末の検索を開始し、検索が完了すると代行依頼先候補無線端末の番号や名称を表示させ、実際に代行依頼を行う場合に、表示された代行依頼先候補無線端末の中から代行依頼先無線端末を選択し決定する操作によって、代行依頼先端末へ代行依頼要求を送信することとしても良い。（Ｓ１００６）
【００６５】
代行処理部１０７は、端末情報登録部１０５を参照して、優先度１の依頼先端末に対して、代行依頼要求を送信し、該依頼先端末からの応答がないままタイムアウト（Ｔ４）した場合（Ｓ１００７、ＮＯ）、端末情報登録部１０５をさらに参照して、次の優先順位の依頼先端末の検索を行い（Ｓ１００８）、次の依頼先端末がある場合（Ｓ１００９、ＹＥＳ）、該依頼先端末に対して代行依頼要求を送信する（Ｓ１００６）。
【００６６】
依頼先端末については、詳細図示していないが、前記端末情報登録部１０５に登録された同一ネットワーク内に設置された通信可能な端末であって、依頼元端末がネットワーク接続された際に一定時間毎に検索し、その都度更新された情報である。例えば最初に依頼先候補として選択された無線端末は、ＩＰアドレスの若番順や、ネットワーク接続時間の長さ順でソートされた情報により選択、登録された端末であるが、その後、一定時間ごとに再検索され、検索情報に基づいて選択される端末も更新されるため、接続状況が変われば依頼先端末の入れ替えが行われる。
【００６７】
代行依頼要求を送信する際、最初に選択した依頼先端末の他に、別の依頼先端末が登録されていない場合、または登録された複数の依頼先端末すべてに代行依頼要求の送信を行い、依頼先端末が見つからなかった場合は（Ｓ１００９、ＮＯ）、依頼先端末が発見できなかった旨を音による通知、または表示部１１１で文字による通知を行い終了し、（Ｓ１０１０）代行依頼先端末検索（Ｓ１００２）を実施して、再度依頼先端末を決定する。
【００６８】
依頼先端末からの応答があった場合（Ｓ１００７、ＹＥＳ）、依頼先端末への代行依頼が完了した旨の通知および表示を表示部１１１にて行い（Ｓ１０１１）、終了する。
【００６９】
また、他端末から代行依頼を受信した場合には、図８に示すフローと同じ動作となるため、本実施例においての説明は割愛する。
【００７０】
以上の説明において、特定コマンドへの応答無しで、代理処理を実行の起動条件とするとして説明したが、代理処理を起動する条件として、起動する時間指定、曜日指定、日時指定、着信番号情報指定などを条件として、条件を満たしたときに所定の機能の代行処理を実施することも可能である。
【００７１】
また、表示部１１１によらずに、各種ガイダンスを音声でアナウンスすることにより、必要な操作を利用者に促すことも可能であり、これらを組み合わせることで、上記以外にも多様な実現方法があることを付言しておく。
【実施例３】
【００７２】
これまでの実施例１及び実施例２においては、代行依頼を無線端末に依頼していたが、依頼先は無線端末に限られず、例えば、無線アクセスポイントに依頼することも考えられる。  
【００７３】
以下本実施例３において、無線アクセスポイントに代行の依頼をする例を図面を用いて説明する。
【００７４】
図１１は、本発明に関わる無線アクセスポイント１ａ（以下、本装置ａと略すこともある）の機能ブロック図である。本装置ａにおける内部ブロック構成図は、無線通信制御部１０１ａ、エリア判定部１０２ａ、代行起動条件登録部１０３ａ、代行依頼内容登録部１０４ａ、端末情報登録部１０５ａ、代行依頼端末検出部１０６ａ、留守応答部１０７ａ、代行処理部１０８ａ、呼制御部１０９ａ、有線通信制御部１１０ａから構成され、ネットワーク５ａに接続される。
【００７５】
尚、代行処理とは代行元無線端末の着信に係る処理を、代行依頼内容登録部１０４ａに予め登録された内容に基づいて代行処理を依頼された無線アクセスポイントが実行するものである。
【００７６】
次に本発明に関わる無線アクセスポイント１ａの各ブロックの機能について説明する。本装置ａは、無線通信制御部１０１ａを介して無線端末Ａ２ａ〜無線端末Ｃ４ａに接続、通信を行う。
【００７７】
代行処理の予約方法については、例えば、本装置ａの無線ネットワークに接続された端末Ａ２ａより代行処理を予約する場合、端末Ａ２ａより無線アクセスポイント１ａに対して、決められた操作を行うことにより、例えば保守モード状態で接続となり、端末Ａ２ａより接続先無線アクセスポイント１ａに対して代行処理の有無の設定を行う。
【００７８】
エリア判定部１０２ａは、予約された代行処理を実行する場合、本装置ａの無線ネットワーク内で発信する電波の電界強度が通信可能な強度であるかを検知し、検知できる場合は、代行処理が不要であると判定し、検知できない場合には、代行処理が必要であると判定し代行処理部１０８ａに通知する。
【００７９】
無線ネットワークに設置された端末Ａ２ａが代行依頼を予約した端末である場合において、本装置ａで代行処理を受け付けている場合にはエリア内にあるか否かを定期的に判定するために、端末Ａ２ａに対して特定コマンドの送信を行い、端末Ａ２ａからの特定コマンドに対する返答がある場合は端末Ａ２ａは通信エリア外ではないと判定し、端末Ａ２ａからの通信可能状態信号の応答がない場合、端末Ａ２ａは通信エリア外である又は電池残量の低下等による電源オフと判定し、判定結果を代行処理部１０８ａに通知する。
【００８０】
代行起動条件登録部１０３ａは、代行依頼を起動する条件を事前に登録し、代行着信依頼を受付けた本装置ａで依頼元端末が通信エリア内から外れた、または電池残量の低下により通信可能状態信号が途絶えた等、事前登録した起動条件を満たす場合に代行依頼の起動を代行処理部１０８ａに通知する。
【００８１】
代行依頼内容登録部１０４ａは、本装置ａの配下に接続された無線端末の利用者により、代行処理を依頼する無線アクセスポイントにＩＰアドレス、ＭＡＣアドレス等の被代行無線端末を識別できる情報、着信を転送する転送先電話番号、応答不可による留守番電話機能などの依頼する代行処理の内容を事前に登録しておき、代行処理の起動を指示された代行処理部１０８ａからの要求があると代行依頼内容登録部１０４ａはその登録内容を呼制御部１０９ａに通知する。
【００８２】
例えば、図１２は代行依頼内容登録部１０４ａに登録される代行処理内容の一例であって、図１２の行１２１１は、代行依頼条件として依頼元へ着信をかけてきた相手端末の条件であり、行１２１２は代行依頼を受けた無線アクセスポイントが代行処理時に行う処理内容である。列１２０１の場合は、発番号０３−１２３４５６７８から着信を受けた場合に０９０−１２３４５６７８にその着信を転送することを代行処理として実行することを示し、列１２０２の場合は、他の内線端末からの着信を受けた場合の代行処理として固定ガイダンスを送出することを示す。
【００８３】
端末情報登録部１０５ａには、事前に代行依頼端末を登録しておく。図１３は、端末情報登録部１０５ａに登録される代行依頼元端末登録時の内容の一例であって、図１３の列１３０１、列１３０２、列１３０３の行１３１２は無線アクセスポイントに登録されている他の無線端末である。行１３１１はそれぞれの無線端末の優先度を意味し、代行処理の依頼を受付けた順に優先順位の順番に依頼元として代行処理の受付けを行う。例えば、図１３は優先度１の端末Ａからの依頼を受付けた場合であって、続けて、端末Ｂ，端末Ｃと順に代行依頼元端末からの依頼がある状態を示す。また、行１３１３では、代行依頼元端末からの端末Ａからの代行依頼を受付け、代行処理状態であることを示す。
【００８４】
また、優先順位については、代行依頼を受付けた順を一例として、端末の内線番号の若番順や、代行依頼時に重要度フラグなどを付加して無線端末より依頼を受付けるという手段であってもよい。
【００８５】
代行依頼端末検出部１０６ａは、他の無線端末から代行処理の予約があり、代行依頼を受理した場合、端末情報登録部１０５ａに登録されている情報に基ついて、無線通信制御部１０１ａに指示して、前記依頼元無線端末を定期的に監視し、該依頼元無線端末との通信状況を代行処理部１０８ａに通知する。
【００８６】
呼制御部１０９ａは、エリア判定部１０２ａからのエリア判定情報や代行依頼端末検出部１０６ａからの依頼元無線端末との通信状況を代行処理部１０８ａを経由して受理する。また他の無線端末から代行依頼の予約を受け付けた場合、本装置ａが代行処理を行うことができるか、呼制御部１０９ａの処理能力の有無により、本装置ａが代行処理を受け付け可能か否かを代行処理部１０８ａで判定し、予約を許可するか否かを相手端末に通知する。
【００８７】
図１４は、本発明に関わる代行処理のフローチャートである。図１４を元に本装置ａの動作を説明する。本装置ａは、電源が投入された状態でスタートし（Ｓ１４００）、代行予約の受付があるか、否か（Ｓ１４０１）で判定を行い、代行予約の受付が無い場合（Ｓ１４０１、ＮＯ）は、代行処理は実施されず無線アクセスポイントの機能のみの動作を行う。
代行予約の受付がある場合（Ｓ１４０１、ＹＥＳ）は、事前に依頼されている依頼元無線端末の監視を行う（Ｓ１４０２）。
【００８８】
ここで、エリア判定部１０２ａにより本装置ａの通信エリア内であるか否か（Ｓ１４０３）の判定を行う。自通信エリア内に依頼元無線端末があると判断した場合は（Ｓ１４０３、ＹＥＳ）、繰り返し、自通信エリア内に依頼元無線端末があるか、否かの監視を行う。
【００８９】
通信エリア内でないと判断した場合（Ｓ１４０３，ＮＯ）、本装置ａの通信エリア内か否かをＴ１の時間監視し、タイムアウトにて、本装置ａの通信エリア内にないと判断し、他のネットワーク内に移動したかの検索を行う。（Ｓ１４０４）依頼元無線端末がネットワーク内にあるかどうかをＴ２の時間監視し（Ｓ１４０５）、タイムアウトにて、代行依頼元端末の代行着信処理（Ｓ１４０６）の実施を行う。また、ネットワーク内に接続されているかをＴ２の時間監視にて定期監視を行い、ネットワーク内に接続された（Ｓ１４０５、ＹＥＳ）と判断された場合、再接続されたと判断し（Ｓ１４０７、ＹＥＳ）、代行着信処理を解除し（Ｓ１４０８）、フローを終了する（Ｓ１４１０）。また、再接続されていない場合は（Ｓ１４０７、ＮＯ）、移動先のネットワーク内に存在する他アクセスポイントに、代行依頼元端末の代行着信処理に係わる代行着信処理内容を渡し（Ｓ１４０９）、フローを終了する（Ｓ１４１０）。
【符号の説明】
【００９０】
１・・・本発明による無線端末２・・・無線ネットワーク３・・・他無線端末１０１・・・無線通信制御部１０２・・・エリア判定部１０３・・・代行起動条件登録部１０４・・・代行依頼内容登録部１０５・・・端末情報登録部１０６・・・代行依頼端末検出部１０７・・・代行処理部１０８・・・呼制御部１０９・・・コンテンツ情報記憶部１１０・・・操作部１１１・・・表示部
１ａ・・・本発明による無線アクセスポイント
２ａ・・・無線端末Ａ
３ａ・・・無線端末Ｂ
４ａ・・・無線端末Ｃ
５ａ・・・ネットワーク
１０１ａ・・・無線通信制御部
１０２ａ・・・エリア判定部
１０３ａ・・・代行起動条件登録部
１０４ａ・・・代行依頼内容登録部
１０５ａ・・・端末情報登録部
１０６ａ・・・代行依頼端末検出部
１０７ａ・・・留守応答部
１０８ａ・・・代行処理部
１０９ａ・・・呼制御部
１１０ａ・・・有線通信制御部
【図１】
2013150294.tif 000003
【図２】
2013150294.tif 000004
【図３】
2013150294.tif 000005
【図４】
2013150294.tif 000006
【図５】
2013150294.tif 000007
【図６】
2013150294.tif 000008
【図７】
2013150294.tif 000009
【図８】
2013150294.tif 000010
【図９】
2013150294.tif 000011
【図１０】
2013150294.tif 000012
【図１１】
2013150294.tif 000013
【図１２】
2013150294.tif 000014
【図１３】
2013150294.tif 000015
【図１４】
2013150294.tif 000016